【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
第１交換レンズ、第２交換レンズ及び第３交換レンズを含む複数種類の交換レンズを装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部と、
前記交換レンズの光学系による像面内の複数位置に対応して設定された複数の焦点検出エリアのそれぞれについて焦点調節状態を検出し焦点検出信号を出力する焦点検出部と、
前記第１識別情報、前記第１交換レンズが前記装着部に装着された場合における前記複数の焦点検出エリアのそれぞれのピントずれ量である第１ピントずれ量、前記第２識別情報、及び、前記第２交換レンズが前記装着部に装着された場合における前記複数の焦点検出エリアのそれぞれのピントずれ量である第２ピントずれ量が記憶され、前記第３識別情報、及び、前記第３交換レンズが前記装着部に装着された場合におけるピントずれ量が記憶されていない記憶部と、
前記送受信部が受信した前記第１識別情報、第２識別情報又は前記第３識別情報を用いて、前記装着部に装着された交換レンズを判断する判断部と、
前記第１交換レンズが前記装着部に装着されたと前記判断部により判断されたとき、前記第１ピントずれ量を前記焦点検出信号から減算することにより前記焦点検出信号を補正し、
前記第２交換レンズが前記装着部に装着されたと前記判断部により判断されたとき、前記第２ピントずれ量を前記焦点検出信号から減算することにより前記焦点検出信号を補正し、
前記第３交換レンズが前記装着部に装着されたと前記判断部により判断されたとき、前記焦点検出信号を補正しない補正部と、を含むことを特徴とするカメラ。
【請求項２】
請求項１に記載のカメラにおいて、
前記記憶部に記憶された前記第１識別情報、前記第１ピントずれ量、前記第２識別情報、及び、前記第２ピントずれ量は、製造業者が入力したものであることを特徴とするカメラ。
【請求項３】
第１交換レンズ、第２交換レンズ及び第３交換レンズを含む複数種類の交換レンズを装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部と、
前記交換レンズの光学系による像面内の複数位置に対応して設定された複数の焦点検出エリアのそれぞれについて焦点調節状態を検出し焦点検出信号を出力する焦点検出部と、
前記第１識別情報と、前記第１交換レンズが前記装着部に装着された場合における前記複数の焦点検出エリアのそれぞれのピントずれ量であって広角側の位置Ｚｗ１に対応する広角側第１ずれ量Ｐｗ１及び望遠側の位置Ｚｔ１に対応する望遠側第１ずれ量Ｐｗ１と、前記第２識別情報と、前記第２交換レンズが前記装着部に装着された場合における前記複数の焦点検出エリアのそれぞれのピントずれ量であって広角側の位置Ｚｗ２に対応する広角側第２ずれ量Ｐｗ２及び望遠側の位置Ｚｔ２に対応する望遠側第２ずれ量Ｐｗ２とが記憶され、前記第３識別情報が記憶されていない記憶部と、
前記送受信部が受信した前記第１識別情報、第２識別情報又は前記第３識別情報を用いて、前記装着部に装着された交換レンズを判断する判断部と、
前記第１交換レンズが前記装着部に装着されたと前記判断部により判断されたとき、広角側第１ずれ量Ｐｗ１及び望遠側第１ずれ量Ｐｗ１を用いて演算した第１ピントずれ量を前記焦点検出信号から減算することにより前記焦点検出信号を補正し、
前記第２交換レンズが前記装着部に装着されたと前記判断部により判断されたとき、広角側第２ずれ量Ｐｗ２及び望遠側第２ずれ量Ｐｗ２を用いて演算した第２ピントずれ量を前記焦点検出信号から減算することにより前記焦点検出信号を補正し、
前記第３交換レンズが前記装着部に装着されたと前記判断部により判断されたとき、前記焦点検出信号を補正しない補正部と、を含むことを特徴とするカメラ。
【請求項４】
請求項３に記載のカメラにおいて、
前記補正部は、現在のズーム位置がＺである場合において、前記第１交換レンズが前記装着部に装着されたと前記判断部により判断されたとき、
Ｐｗ１＋（Ｐｔ１−Ｐｗ１）×（Ｚ−Ｚｗ１）／（Ｚｔ１−Ｚｗ１）
を用いて演算した前記第１ピントずれ量を前記焦点検出信号から減算することにより前記焦点検出信号を補正し、
前記第２交換レンズが前記装着部に装着されたと前記判断部により判断されたとき、
Ｐｗ２＋（Ｐｔ２−Ｐｗ２）×（Ｚ−Ｚｗ２）／（Ｚｔ２−Ｚｗ２）
を用いて演算した前記第２ピントずれ量を前記焦点検出信号から減算することにより前記焦点検出信号を補正することを特徴とするカメラ。
【請求項５】
第１交換レンズ、第２交換レンズ及び第３交換レンズを含む複数種類の交換レンズを装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部と、
前記交換レンズの光学系による像面内の複数位置に対応して設定された複数の焦点検出エリアのそれぞれについて焦点調節状態を検出し焦点検出信号を出力する焦点検出部と、
前記第１識別情報と、前記第１交換レンズが前記装着部に装着された場合における前記複数の焦点検出エリアのそれぞれのピントずれ量であって無限側の位置Ｚｉ１に対応する無限側第１ずれ量Ｐｉ１及び至近側の位置Ｚｎ１に対応する至近側第１ずれ量Ｐｎ１と、前記第２識別情報と、前記第２交換レンズが前記装着部に装着された場合における前記複数の焦点検出エリアのそれぞれのピントずれ量であって無限側の位置Ｚｉ２に対応する無限側第２ずれ量Ｐｉ２及び至近側の位置Ｚｎ２に対応する至近側第２ずれ量Ｐｉ２とが記憶され、前記第３識別情報が記憶されていない記憶部と、
前記送受信部が受信した前記第１識別情報、第２識別情報又は前記第３識別情報を用いて、前記装着部に装着された交換レンズを判断する判断部と、
前記第１交換レンズが前記装着部に装着されたと前記判断部により判断されたとき、無限側第１ずれ量Ｐｉ１及び至近側第１ずれ量Ｐｎ１を用いて演算した第１ピントずれ量を前記焦点検出信号から減算することにより前記焦点検出信号を補正し、
前記第２交換レンズが前記装着部に装着されたと前記判断部により判断されたとき、無限側第２ずれ量Ｐｉ２及び至近側第２ずれ量Ｐｎ２を用いて演算した第２ピントずれ量を前記焦点検出信号から減算することにより前記焦点検出信号を補正し、
前記第３交換レンズが前記装着部に装着されたと前記判断部により判断されたとき、前記焦点検出信号を補正しない補正部と、を含むことを特徴とするカメラ。
【請求項６】
請求項５に記載のカメラにおいて、
前記補正部は、現在のズーム位置がＺである場合において、前記第１交換レンズが前記装着部に装着されたと前記判断部により判断されたとき、
Ｐｎ１＋（Ｐｉ１−Ｐｎ１）×（Ｚ−Ｚｎ１）／（Ｚｉ１−Ｚｎ１）
を用いて演算した前記第１ピントずれ量を前記焦点検出信号から減算することにより前記焦点検出信号を補正し、
前記第２交換レンズが前記装着部に装着されたと前記判断部により判断されたとき、
Ｐｎ２＋（Ｐｉ２−Ｐｎ２）×（Ｚ−Ｚｎ２）／（Ｚｉ２−Ｚｎ２）
を用いて演算した前記第２ピントずれ量を前記焦点検出信号から減算することにより前記焦点検出信号を補正することを特徴とするカメラ。
【請求項７】
第１交換レンズ、第２交換レンズ及び第３交換レンズを含む複数種類の交換レンズを装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部と、
前記交換レンズの光学系による像面内の複数位置に対応して設定された複数の焦点検出エリアのそれぞれについて焦点調節状態を検出し焦点検出信号を出力する焦点検出部と、
前記第１識別情報、前記第１交換レンズが前記装着部に装着された場合における前記複数の焦点検出エリアのそれぞれのピントずれ量である第１ピントずれ量、前記第２識別情報、及び、前記第２交換レンズが前記装着部に装着された場合における前記複数の焦点検出エリアのそれぞれのピントずれ量である第２ピントずれ量が記憶され、前記第３識別情報が記憶されていない記憶部と、
前記送受信部が受信した前記第１識別情報、第２識別情報又は前記第３識別情報を用いて、前記装着部に装着された交換レンズを判断する判断部と、
前記第１交換レンズが前記装着部に装着されたと前記判断部により判断されたとき、前記第１ピントずれ量を用いて前記焦点検出信号を補正し、
前記第２交換レンズが前記装着部に装着されたと前記判断部により判断されたとき、前記第２ピントずれ量を用いて前記焦点検出信号を補正し、
前記第３交換レンズが前記装着部に装着されたと前記判断部により判断されたとき、前記焦点検出信号を補正しない補正部と、を含むことを特徴とするカメラ。
【請求項８】
請求項１乃至請求項７の何れか１項に記載のカメラにおいて、
前記焦点検出部は、前記交換レンズの光学系による像面内の複数位置に対応して設定された複数の焦点検出エリアのそれぞれについて、位相差検出方式によりデフォーカス量を検出することを特徴とするカメラ。
【手続補正２】
【補正対象書類名】明細書
【補正対象項目名】０００７
【補正方法】変更
【補正の内容】
【０００７】
［１］第１の発明に係るカメラは、第１交換レンズ、第２交換レンズ及び第３交換レンズを含む複数種類の交換レンズ（２００）を装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部（１１４）と、
前記交換レンズの光学系による像面内の複数位置に対応して設定された複数の焦点検出エリアのそれぞれについて焦点調節状態を検出し焦点検出信号を出力する焦点検出部（１０８）と、
前記第１識別情報、前記第１交換レンズが前記装着部に装着された場合における前記複数の焦点検出エリアのそれぞれのピントずれ量である第１ピントずれ量、前記第２識別情報、及び、前記第２交換レンズが前記装着部に装着された場合における前記複数の焦点検出エリアのそれぞれのピントずれ量である第２ピントずれ量が記憶され、前記第３識別情報、及び、前記第３交換レンズが前記装着部に装着された場合におけるピントずれ量が記憶されていない記憶部（１１６）と、
前記送受信部が受信した前記第１識別情報、第２識別情報又は前記第３識別情報を用いて、前記装着部に装着された交換レンズを判断する判断部（１１４）と、
前記第１交換レンズが前記装着部に装着されたと前記判断部により判断されたとき、前記第１ピントずれ量を前記焦点検出信号から減算することにより前記焦点検出信号を補正し、
前記第２交換レンズが前記装着部に装着されたと前記判断部により判断されたとき、前記第２ピントずれ量を前記焦点検出信号から減算することにより前記焦点検出信号を補正し、
前記第３交換レンズが前記装着部に装着されたと前記判断部により判断されたとき、前記焦点検出信号を補正しない補正部（１１４）と、を含むことを特徴とする。
上記発明において、前記記憶部に記憶された前記第１識別情報、前記第１ピントずれ量、前記第２識別情報、及び、前記第２ピントずれ量は、製造業者が入力したものとして構成することができる。
【手続補正３】
【補正対象書類名】明細書
【補正対象項目名】０００８
【補正方法】変更
【補正の内容】
【０００８】
［２］第２の発明に係るカメラは、第１交換レンズ、第２交換レンズ及び第３交換レンズを含む複数種類の交換レンズ（２００）を装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部（１１４）と、
前記交換レンズの光学系による像面内の複数位置に対応して設定された複数の焦点検出エリアのそれぞれについて焦点調節状態を検出し焦点検出信号を出力する焦点検出部（１０８）と、
前記第１識別情報と、前記第１交換レンズが前記装着部に装着された場合における前記複数の焦点検出エリアのそれぞれのピントずれ量であって広角側の位置Ｚｗ１に対応する広角側第１ずれ量Ｐｗ１及び望遠側の位置Ｚｔ１に対応する望遠側第１ずれ量Ｐｗ１と、前記第２識別情報と、前記第２交換レンズが前記装着部に装着された場合における前記複数の焦点検出エリアのそれぞれのピントずれ量であって広角側の位置Ｚｗ２に対応する広角側第２ずれ量Ｐｗ２及び望遠側の位置Ｚｔ２に対応する望遠側第２ずれ量Ｐｗ２とが記憶され、前記第３識別情報が記憶されていない記憶部（１１６）と、
前記送受信部が受信した前記第１識別情報、第２識別情報又は前記第３識別情報を用いて、前記装着部に装着された交換レンズを判断する判断部（１１４）と、
前記第１交換レンズが前記装着部に装着されたと前記判断部により判断されたとき、広角側第１ずれ量Ｐｗ１及び望遠側第１ずれ量Ｐｗ１を用いて演算した第１ピントずれ量を前記焦点検出信号から減算することにより前記焦点検出信号を補正し、
前記第２交換レンズが前記装着部に装着されたと前記判断部により判断されたとき、広角側第２ずれ量Ｐｗ２及び望遠側第２ずれ量Ｐｗ２を用いて演算した第２ピントずれ量を前記焦点検出信号から減算することにより前記焦点検出信号を補正し、
前記第３交換レンズが前記装着部に装着されたと前記判断部により判断されたとき、前記焦点検出信号を補正しない補正部（１１４）と、を含むことを特徴とする。
上記発明において、前記補正部は、現在のズーム位置がＺである場合において、前記第１交換レンズが前記装着部に装着されたと前記判断部により判断されたとき、Ｐｗ１＋（Ｐｔ１−Ｐｗ１）×（Ｚ−Ｚｗ１）／（Ｚｔ１−Ｚｗ１）を用いて演算した前記第１ピントずれ量を前記焦点検出信号から減算することにより前記焦点検出信号を補正し、
前記第２交換レンズが前記装着部に装着されたと前記判断部により判断されたとき、Ｐｗ２＋（Ｐｔ２−Ｐｗ２）×（Ｚ−Ｚｗ２）／（Ｚｔ２−Ｚｗ２）を用いて演算した前記第２ピントずれ量を前記焦点検出信号から減算することにより前記焦点検出信号を補正するように構成することができる。
【手続補正４】
【補正対象書類名】明細書
【補正対象項目名】０００９
【補正方法】変更
【補正の内容】
【０００９】
［３］第３の発明に係るカメラは、第１交換レンズ、第２交換レンズ及び第３交換レンズを含む複数種類の交換レンズ（２００）を装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部（１１４）と、
前記交換レンズの光学系による像面内の複数位置に対応して設定された複数の焦点検出エリアのそれぞれについて焦点調節状態を検出し焦点検出信号を出力する焦点検出部（１０８）と、
前記第１識別情報と、前記第１交換レンズが前記装着部に装着された場合における前記複数の焦点検出エリアのそれぞれのピントずれ量であって無限側の位置Ｚｉ１に対応する無限側第１ずれ量Ｐｉ１及び至近側の位置Ｚｎ１に対応する至近側第１ずれ量Ｐｎ１と、前記第２識別情報と、前記第２交換レンズが前記装着部に装着された場合における前記複数の焦点検出エリアのそれぞれのピントずれ量であって無限側の位置Ｚｉ２に対応する無限側第２ずれ量Ｐｉ２及び至近側の位置Ｚｎ２に対応する至近側第２ずれ量Ｐｉ２とが記憶され、前記第３識別情報が記憶されていない記憶部（１１６）と、
前記送受信部が受信した前記第１識別情報、第２識別情報又は前記第３識別情報を用いて、前記装着部に装着された交換レンズを判断する判断部（１１４）と、
前記第１交換レンズが前記装着部に装着されたと前記判断部により判断されたとき、無限側第１ずれ量Ｐｉ１及び至近側第１ずれ量Ｐｎ１を用いて演算した第１ピントずれ量を前記焦点検出信号から減算することにより前記焦点検出信号を補正し、
前記第２交換レンズが前記装着部に装着されたと前記判断部により判断されたとき、無限側第２ずれ量Ｐｉ２及び至近側第２ずれ量Ｐｎ２を用いて演算した第２ピントずれ量を前記焦点検出信号から減算することにより前記焦点検出信号を補正し、
前記第３交換レンズが前記装着部に装着されたと前記判断部により判断されたとき、前記焦点検出信号を補正しない補正部（１１４）と、を含むことを特徴とする。
上記発明において、前記補正部は、現在のズーム位置がＺである場合において、前記第１交換レンズが前記装着部に装着されたと前記判断部により判断されたとき、Ｐｎ１＋（Ｐｉ１−Ｐｎ１）×（Ｚ−Ｚｎ１）／（Ｚｉ１−Ｚｎ１）を用いて演算した前記第１ピントずれ量を前記焦点検出信号から減算することにより前記焦点検出信号を補正し、
前記第２交換レンズが前記装着部に装着されたと前記判断部により判断されたとき、Ｐｎ２＋（Ｐｉ２−Ｐｎ２）×（Ｚ−Ｚｎ２）／（Ｚｉ２−Ｚｎ２）を用いて演算した前記第２ピントずれ量を前記焦点検出信号から減算することにより前記焦点検出信号を補正するよう構成することができる。
【手続補正５】
【補正対象書類名】明細書
【補正対象項目名】００１０
【補正方法】変更
【補正の内容】
【００１０】
［４］第４の発明に係るカメラは、第１交換レンズ、第２交換レンズ及び第３交換レンズを含む複数種類の交換レンズ（２００）を装着可能な装着部と、
前記複数種類の交換レンズの何れかが前記装着部に装着された場合、装着された前記交換レンズに要求信号を送信し、
前記第１交換レンズが前記装着部に装着された場合には前記第１交換レンズであることを識別するための第１識別情報を前記第１交換レンズから受信し、
前記第２交換レンズが前記装着部に装着された場合には前記第２交換レンズであることを識別するための第２識別情報を前記第２交換レンズから受信し、
前記第３交換レンズが前記装着部に装着された場合には前記第３交換レンズであることを識別するための第３識別情報を前記第３交換レンズから受信する送受信部（１１４）と、
前記交換レンズの光学系による像面内の複数位置に対応して設定された複数の焦点検出エリアのそれぞれについて焦点調節状態を検出し焦点検出信号を出力する焦点検出部（１０８）と、
前記第１識別情報、前記第１交換レンズが前記装着部に装着された場合における前記複数の焦点検出エリアのそれぞれのピントずれ量である第１ピントずれ量、前記第２識別情報、及び、前記第２交換レンズが前記装着部に装着された場合における前記複数の焦点検出エリアのそれぞれのピントずれ量である第２ピントずれ量が記憶され、前記第３識別情報が記憶されていない記憶部（１１６）と、
前記送受信部が受信した前記第１識別情報、第２識別情報又は前記第３識別情報を用いて、前記装着部に装着された交換レンズを判断する判断部（１１４）と、
前記第１交換レンズが前記装着部に装着されたと前記判断部により判断されたとき、前記第１ピントずれ量を用いて前記焦点検出信号を補正し、
前記第２交換レンズが前記装着部に装着されたと前記判断部により判断されたとき、前記第２ピントずれ量を用いて前記焦点検出信号を補正し、
前記第３交換レンズが前記装着部に装着されたと前記判断部により判断されたとき、前記焦点検出信号を補正しない補正部（１１４）と、を含むことを特徴とする。
【手続補正６】
【補正対象書類名】明細書
【補正対象項目名】００１１
【補正方法】変更
【補正の内容】
【００１１】
［５］上記発明において、前記焦点検出部は、前記交換レンズの光学系による像面内の複数位置に対応して設定された複数の焦点検出エリアのそれぞれについて、位相差検出方式によりデフォーカス量を検出するよう構成することができる。
【手続補正７】
【補正対象書類名】明細書
【補正対象項目名】００１２
【補正方法】削除
【補正の内容】